(57)【要約】【課題】  ＩＰ通話中のセルラー通話用の着信報知によってユーザを驚かせるのを抑制することができる携帯電話機を提供する。【解決手段】  セルラー基地局２との通信を行うセルラー通信部１０１と、着信報知を行う着信報知制御部１２２と、セルラー基地局２を介してセルラー通話を行うための制御を行うセルラー通話制御部１２３と、無線アクセスポイント５との通信を行うＩＰ通信部１０２と、無線アクセスポイント５を介してＩＰ通話を行うための制御を行うＩＰ通話制御部１２１により構成される。着信報知制御部１２２は、着信信号の受信時にＩＰ通話中であるか否かに基づいて異なる着信報知を行う。【選択図】  図５
2016076806.tif 000002
【特許請求の範囲】
【請求項１】
セルラー基地局との通信を行い、着信信号の受信及び音声信号の送受信を行うセルラー通信手段と、
上記着信信号に基づいて、着信報知を行う着信報知手段と、
上記セルラー通信手段に対し、上記セルラー基地局を介してセルラー通話を行うための制御を行うセルラー通話制御手段と、
ＩＰネットワークに接続された無線アクセスポイントとの通信を行い、パケット化された音声データの送受信を行うＩＰ通信手段と、
上記ＩＰ通信手段に対し、上記無線アクセスポイントを介してＩＰ通話を行うための制御を行うＩＰ通話制御手段とを備え、
上記着信報知手段は、上記着信信号の受信時に上記ＩＰ通話中であるか否かに基づいて異なる着信報知を行うことを特徴とする携帯電話機。
【請求項２】
上記セルラー通話制御手段は、着信報知中におけるオフフック操作に基づいて、上記セルラー通話を開始し、
上記ＩＰ通話制御手段は、着信報知中における上記オフフック操作に基づいて、上記ＩＰ通話を終了することを特徴とする請求項１に記載の携帯電話機。
【請求項３】
着信音を出力するためのスピーカと、
受話音を出力するためのレシーバとを備え、
上記着信報知手段は、上記ＩＰ通話中でないときに上記着信信号を受信すれば、上記スピーカにより着信報知を行い、上記ＩＰ通話中に上記着信信号を受信すれば、上記レシーバにより着信報知を行うことを特徴とする請求項１又は２に記載の携帯電話機。
【請求項４】
送話音が入力されるマイクロホンを備え、
上記着信報知手段は、上記レシーバ及び上記マイクロホンの動作状態と、上記無線アクセスポイントとの通信データ量とに基づいて、ＩＰ通話中であるか否かを判別することを特徴とする請求項３に記載の携帯電話機。
【請求項５】
上記セルラー通話制御手段は、着信報知中、上記ＩＰ通話制御手段からの状態通知要求に対し、非着信状態を示すダミー情報を通知することを特徴とする請求項１〜４のいずれかに記載の携帯電話機。
【発明の詳細な説明】
【技術分野】
【０００１】
本発明は、携帯電話機に係り、更に詳しくは、ＩＰネットワークに接続された無線アクセスポイントとの通信によって、パケット化された音声データの送受信を行う携帯電話機の改良に関する。
【背景技術】
【０００２】
スマートフォンなどの携帯電話機には、移動体電話回線網に接続されたセルラー基地局との通信によって音声通話を行うセルラー電話機能の他に、インターネットなどのＩＰネットワークに接続された無線アクセスポイントとの通信によって音声通話を行うＩＰ電話機能を有するものがある。ＩＰ電話機能を提供するアプリケーションプログラムには、出荷時から端末装置に搭載されているものや、出荷後にインストールするものがある。
【０００３】
従来の携帯電話機では、ＩＰ電話機能を利用して通話している最中に、セルラー通話用の着信があった場合、アプリケーションプログラムの仕様によってはＩＰ通話が強制的に終了される。このため、ＩＰ通話中であったにもかかわらず、セルラー電話機能により着信音がスピーカから出力されてしまうという問題があった。例えば、受話用のレシーバを耳に押し当てている状態で、着信音がスピーカから出力され、ユーザを驚かせてしまうという問題があった。
【０００４】
なお、特許文献１には、内線通話を行っている最中に、外線から着信があった場合、内線通話中の操作者が外線着信を知ることができないという技術課題を解決するために、外線からの着信を通知する手段を有するボタン電話装置が記載されている。また、特許文献２には、子機間の内線通話中に外線着信があった場合、全ての子機に外線着信を報知し、その後、内線から外線に切り替えるコードレス電話機が記載されている。これらの特許文献１及び２に記載された技術では、ＩＰ通話中におけるセルラー通話用の着信によってＩＰ通話が強制的に終了されることや、着信音がスピーカから出力されることを防止することはできない。
【先行技術文献】
【特許文献】
【０００５】
【特許文献１】特開昭６３−１８７７９２号公報
【特許文献２】特開平５−１６０８８４号公報
【発明の概要】
【発明が解決しようとする課題】
【０００６】
本発明は、上記の事情に鑑みてなされたものであり、ＩＰ通話中におけるセルラー通話用の着信報知によってユーザを驚かせるのを抑制することができる携帯電話機を提供することを目的とする。
【課題を解決するための手段】
【０００７】
本発明による携帯電話機は、セルラー基地局との通信を行い、着信信号の受信及び音声信号の送受信を行うセルラー通信手段と、上記着信信号に基づいて、着信報知を行う着信報知手段と、上記セルラー通信手段に対し、上記セルラー基地局を介してセルラー通話を行うための制御を行うセルラー通話制御手段と、ＩＰネットワークに接続された無線アクセスポイントとの通信を行い、パケット化された音声データの送受信を行うＩＰ通信手段と、上記ＩＰ通信手段に対し、上記無線アクセスポイントを介してＩＰ通話を行うための制御を行うＩＰ通話制御手段とにより構成される。上記着信報知手段は、上記着信信号の受信時に上記ＩＰ通話中であるか否かに基づいて異なる着信報知を行う。
【０００８】
この携帯電話機は、着信信号の受信時にＩＰ通話中であるか否かに基づいて異なる着信報知を行うので、ＩＰ通話中の着信報知によってユーザを驚かせるのを抑制することができる。
【発明の効果】
【０００９】
本発明によれば、ＩＰ通話中におけるセルラー通話用の着信報知によってユーザを驚かせるのを抑制することができる携帯電話機を提供することができる。
【図面の簡単な説明】
【００１０】
【図１】本発明の実施の形態による携帯電話機１０を含む通話システム１の一構成例を示したシステム図である。
【図２】図１の携帯電話機１０の構成例を示した斜視図である。
【図３】図２の携帯電話機１０の概略構成の一例を示したブロック図である。
【図４】図１のセルラー基地局２の構成例を示したブロック図である。
【図５】図３の携帯電話機１０の要部における構成例を示したブロック図である。
【図６】図５の携帯電話機１０におけるセルラー電話プログラムの動作の一例を示したフローチャートである。
【図７】図５の携帯電話機１０におけるＩＰ電話プログラムの動作の一例を示したフローチャートである。
【発明を実施するための形態】
【００１１】
＜通話システム１＞
図１は、本発明の実施の形態による携帯電話機１０を含む通話システム１の一構成例を示したシステム図である。この図には、携帯電話機１０を自端末とし、携帯電話機３、６及び固定電話機８を通話相手の端末装置とする通話システム１が示されている。
【００１２】
この通話システム１は、携帯電話機１０，３，６及び固定電話機８と、移動体電話回線網Ｎｍに接続されたセルラー基地局２及び電話交換機４と、ＩＰネットワークＮｉに接続された無線アクセスポイント５及びＶｏＩＰ電話サーバ７とにより構成される。
【００１３】
携帯電話機１０は、セルラー電話機能及びＩＰ電話機能を有する端末装置である。この携帯電話機１０は、自局を含むサービスエリアを提供するセルラー基地局２と通信を行い、発信信号の送信、着信信号の受信及び音声信号の送受信を行う。例えば、相手先の電話番号を指定してオフフック操作を行えば、発信信号がセルラー基地局２へ送信される。
【００１４】
携帯電話機３は、セルラー電話機能を有する端末装置であり、自局を含むサービスエリアを提供するセルラー基地局２と通信を行う。ＩＰネットワークＮｉは、インターネットなどのＩＰ（インターネットプロトコル）を利用して相互接続する通信ネットワークである。無線アクセスポイント５は、無線ＬＡＮ（ローカルエリアネットワーク）を利用して携帯電話機１０との通信を中継する中継機である。
【００１５】
携帯電話機１０は、自局を含むサービスエリアを提供する無線アクセスポイント５と通信を行い、パケット化された音声データの送受信を行う。携帯電話機６は、ＩＰ電話機能を有する端末装置であり、自局を含むサービスエリアを提供する無線アクセスポイント５と通信を行う。
【００１６】
電話交換機４は、電話番号に基づいて電話回線を相互接続する制御装置であり、公衆交換電話網Ｎｐ及びＩＰネットワークＮｉに接続されている。公衆交換電話網Ｎｐは、固定電話回線からなる電話網であり、ＰＳＴＮ（Public Switched Telephone Network）と呼ばれる。
【００１７】
ＶｏＩＰ（Voice over IP）電話サーバ７は、ＩＰアドレス及び電話番号の相互変換などを行い、異なるネットワーク間、例えば、公衆交換電話網Ｎｐ及びＩＰネットワークＮｉ間のデータの送受信やプロトコル変換を行う通話制御装置である。ＶｏＩＰは、音声を各種の符号化方式に従って符号化及び圧縮してパケットに変換し、ＩＰネットワークを利用してリアルタイムに伝送する技術である。
【００１８】
携帯電話機１０は、セルラー基地局２との通信に基づいて、セルラー通話を行う。セルラー通話は、自端末がセルラー基地局２との間で通話チャネルを確立して行う通話である。この様なセルラー通話により、携帯電話機１０は、移動体電話回線網Ｎｍを介して、携帯電話機３と通話を行うことができる。また、携帯電話機１０は、公衆交換電話網ＮｐやＩＰネットワークＮｉを経由すれば、携帯電話機６や固定電話機８とセルラー通話を行うこともできる。
【００１９】
また、携帯電話機１０は、無線アクセスポイント５との通信に基づいて、ＩＰ通話を行う。ＩＰ通話は、自端末が無線アクセスポイント５との間で通話チャネルを確立して行う通話である。この様なＩＰ通話により、携帯電話機１０は、ＩＰネットワークＮｉを介して、携帯電話機６と通話を行うことができる。また、携帯電話機１０は、公衆交換電話網Ｎｐや移動体電話回線網Ｎｍを経由すれば、携帯電話機３や固定電話機８とＩＰ通話を行うこともできる。
【００２０】
＜携帯電話機１０＞
図２は、図１の携帯電話機１０の構成例を示した斜視図である。図中の（ａ）には、携帯電話機１０の前面が示され、（ｂ）には、携帯電話機１０の背面が示されている。この図では、端末筐体１１の長手方向を紙面の上下方向と一致させて携帯電話機１０が描画されている。
【００２１】
この携帯電話機１０は、端末筐体１１の前面に、受話用のレシーバ１２、表示部１３、操作キー１４ａ〜１４ｃ及び送話用のマイクロホン１５が配設され、端末筐体１１の背面にスピーカ１６が配設されている。
【００２２】
端末筐体１１は、紙面の上下方向を長手方向とする板状の筐体であり、手で把持することが容易なサイズからなる。レシーバ１２は、端末筐体１１の上端部に配置され、操作キー１４ａ〜１４ｃ及びマイクロホン１５は、端末筐体１１の下端部に配置されている。
【００２３】
レシーバ１２は、受話音を出力するための音声出力装置である。マイクロホン１５は、送話音が入力される音声入力装置である。操作キー１４ａ〜１４ｃは、いずれも押下型の接点式スイッチからなり、各種機能が割り当てられる。例えば、操作キー１４ａは、前の画面に戻るためのリターンキーである。また、操作キー１４ｂは、ホーム画面を表示するためのホームキーである。また、操作キー１４ｃは、メニュー画面を表示するためのメニューキーである。
【００２４】
表示部１３は、各種情報を画面表示する表示装置により構成される。例えば、表示部１３は、表示画面を有する液晶パネルと、表示画面に対するタッチ操作を検出するタッチセンサとからなるタッチパネルにより構成される。スピーカは、着信音を出力するための音声出力装置である。
【００２５】
図３は、図２の携帯電話機１０の概略構成の一例を示したブロック図である。この携帯電話機１０は、レシーバ１２、表示部１３、マイクロホン１５、スピーカ１６、マイクロプロセッサ１００、セルラー通信部１０１、ＩＰ通信部１０２、操作部１０３、バイブレータ１０４、メモリ１０５、音声コーデック１１０及びアンプ１１１により構成される。
【００２６】
マイクロプロセッサ１００は、通話制御などの主要な制御を行う制御装置である。セルラー通信部１０１は、セルラー基地局２との通信を行い、着信信号の受信及び音声信号の送受信を行う無線通信処理部である。ＩＰ通信部１０２は、無線アクセスポイント５との通信を行い、パケット化された音声データの送受信を行う無線通信処理部である。
【００２７】
操作部１０３は、ユーザ操作を受け付けて操作信号を生成し、マイクロプロセッサ１００へ出力する。例えば、操作キー１４ａ〜１４ｃの押下操作や表示部１３の表示画面に対するタッチ操作に応じた操作信号が生成される。バイブレータ１０４は、振動を発生させる装置であり、着信報知に用いられる。
【００２８】
メモリ１０５は、各種情報を保持する記憶素子である。このメモリ１０５には、セルラー電話プログラム及びＩＰ電話プログラムが保持され、マイクロプロセッサ１００に実行させることができる。
【００２９】
セルラー電話プログラムは、セルラー電話機能を提供するためのアプリケーションプログラムであり、携帯電話機１０の出荷時から搭載されている。一方、ＩＰ電話プログラムは、ＩＰ電話機能を提供するためのアプリケーションプログラムである。このＩＰ電話プログラムには、携帯電話機１０の出荷時から搭載されているものと、出荷後にユーザによってインストールされるものとがある。
【００３０】
音声コーデック１１０は、音声信号の符号化、符号化された音声信号の復号、音声信号の圧縮処理、圧縮された音声信号の伸張処理などを行う。例えば、音声コーデック１１０は、受話用の音声信号がマイクロプロセッサ１００から入力されれば、復号し、レシーバ１２へ出力する。また、音声コーデック１１０は、送話用の音声信号がマイクロホン１５から入力されれば、符号化し、マイクロプロセッサ１００へ出力する。
【００３１】
また、音声コーデック１１０は、着信報知用の音声信号がマイクロプロセッサ１００から入力されれば、復号し、アンプ１１１を介してスピーカ１６へ出力する。アンプ１１１は、音声信号を増幅する増幅器である。
【００３２】
＜セルラー基地局２＞
図４は、図１のセルラー基地局２の構成例を示したブロック図である。このセルラー基地局２は、移動体通信を利用して携帯電話機１０との通信を中継する中継局であり、無線通信処理部２１、制御部２２、メモリ２３及び網インターフェース２４により構成される。制御部２２は、無線通信処理部２１、メモリ２３及び網インターフェース２４を制御する。
【００３３】
無線通信処理部２１は、電波を送受信し、サービスエリア内の携帯電話機１０と通信を行う。メモリ２３には、制御プログラムや携帯電話機１０の位置情報などが保持される。網インターフェース２４は、移動体電話回線網Ｎｍに接続し、音声信号などを送受信する。なお、無線アクセスポイント５の構成についても、セルラー基地局２の上記構成と同様である。
【００３４】
図５は、図３の携帯電話機１０の要部における構成例を示したブロック図である。この携帯電話機１０では、マイクロプロセッサ１００が、ＩＰ通話制御部１２１、着信報知制御部１２２及びセルラー通話制御部１２３により構成される。着信報知制御部１２２及びセルラー通話制御部１２３は、セルラー電話プログラムを実行させることによって提供される機能である。
【００３５】
ＩＰ通話制御部１２１は、操作部１０３からの操作信号に基づいて、ＩＰ通信部１０２に対し、無線アクセスポイント５を介してＩＰ通話を行うための制御を行う。ＩＰ通話は、送話音からなる音声データを圧縮し、多数のパケットに分解して通話相手へ送信する一方、通話相手から受信したパケットを時系列に組み立てて伸張し、受話音からなる音声データを再生することによって提供される。
【００３６】
着信報知制御部１２２は、セルラー通信部１０１により着信信号が受信されれば、当該着信信号に基づいて、着信報知を行う。着信報知は、着信音をスピーカ１６から出力し、或いは、電話着信を知らせるメッセージを表示部１３に表示し、或いは、バイブレータ１０４を振動させることによって行われる。着信音は、報知用の音声信号を生成し、音声コーデック１１０へ出力すれば、スピーカ１６から出力させることができる。着信音の音量や音色は、予め定められる。着信報知は、通話状態に移行するか、或いは、通信回線が切断されるまで継続的に行われる。
【００３７】
セルラー通話制御部１２３は、操作部１０３からの操作信号に基づいて、セルラー通信部１０１に対し、セルラー基地局２を介してセルラー通話を行うための制御を行う。セルラー通話は、送話音からなる音声信号を圧縮して通話相手へ送信する一方、通話相手から受信した音声信号を伸張して受話音からなる音声信号を再生することによって提供される。
【００３８】
このセルラー通話制御部１２３は、着信報知中におけるオフフック操作に基づいて、セルラー通話を開始する。また、セルラー通話制御部１２３は、オンフック操作が行われるか、或いは、通信回線が切断されれば、セルラー通話を終了する。
【００３９】
ＩＰ通話制御部１２１は、着信報知中におけるオフフック操作に基づいて、ＩＰ通話を終了する。つまり、セルラー通話用の着信があってもＩＰ通話は終了されず、セルラー通話の通信状態が通話状態に移行すれば、ＩＰ通話は強制的に終了される。この様に構成することにより、ユーザの意図に反してＩＰ通話が強制的に終了されるのを防止することができる。
【００４０】
着信報知制御部１２２は、着信信号の受信時にＩＰ通話中であるか否かに基づいて異なる着信報知を行う。例えば、着信報知制御部１２２は、ＩＰ通話中でないときに着信信号を受信すれば、スピーカ１６により着信報知を行う。この場合、着信音がスピーカ１６から出力される。
【００４１】
一方、着信報知制御部１２２は、ＩＰ通話中に着信信号を受信すれば、レシーバ１２により着信報知を行う。この場合には、所定の報知音がレシーバ１２から出力される。報知音は、受話音に重畳させる。この様に構成することにより、ＩＰ通話中の着信報知によってユーザを驚かせるのを抑制することができる。
【００４２】
ここで、着信報知制御部１２２は、レシーバ１２及びマイクロホン１５の動作状態と、無線アクセスポイント５との通信データ量とに基づいて、ＩＰ通話中であるか否かを判別する。具体的には、次に示す４つの条件（１）〜（４）を全て満たしている状態が一定時間以上継続すれば、ＩＰ通話中であると判別される。
【００４３】
条件（１）は、レシーバ１２及びマイクロホン１５を含む音声経路がオン状態である。条件（２）は、音声信号が入力されるのを契機として、一定量のパケットが送信されている。条件（３）は、一定量のパケットが受信されるのを契機として、音声信号が出力されている。条件（４）は、条件（１）〜（３）を１つのアプリケーションプログラムが実行している。複数のＩＰ電話プログラムが存在する場合には、条件（１）〜（４）に基づいて、アプリケーションプログラムを特定する。
【００４４】
この様に構成することにより、ＩＰ通話制御部１２１に制御用のインターフェースを設けなくても、セルラー通話制御部１２３は、ＩＰ通話中であるか否かを検知することができる。
【００４５】
また、セルラー通話制御部１２３は、着信報知中、ＩＰ通話制御部１２１からの状態通知要求に対し、非着信状態を示すダミー情報を通知する。このダミー情報は、着信状態であることをＩＰ通話制御部１２１に検知させないための偽の情報である。ＩＰ通話制御部１２１は、ＩＰ通話中、セルラー通話制御部１２３に対し、状態通知要求を定期的に出力し、セルラー通話の通信状態が着信状態又は通話状態のいずれかであれば、ＩＰ通話を強制的に終了する。この様に構成することにより、ＩＰ電話プログラムを仕様変更しなくても、セルラー通話用の着信によってＩＰ通話が強制的に終了されるのを防止することができる。
【００４６】
さらに、セルラー通話制御部１２３は、ＩＰ通話中、セルラー通話を自動的に開始する自動応答の動作を行わない。自動応答には、簡易留守番電話機能による応答処理、ドライブモード機能による応答処理、及び、着信拒否機能による応答処理がある。
【００４７】
簡易留守番電話機能は、自動応答して、留守番電話であることを示す音声ガイダンスを送信した後、受話音を録音する機能である。ドライブモード機能は、自動応答して、車の運転中であることを示す音声ガイダンスを送信した後、通話状態に移行する機能である。
【００４８】
着信拒否機能は、発信元の電話番号が予め登録された着信拒否対象の電話番号と一致する場合に、自動応答して、着信を拒否する旨の音声メッセージを送信した後、通信回線を切断する機能である。ＩＰ通話中は、これらの自動応答の機能が一時的に無効化される。特に、セルラー通話制御部１２３は、ＩＰ通話中に、着信拒否が指定された発信元からの着信信号が受信されれば、応答せずに通信回線を直ちに切断する。この様に構成することにより、ユーザの意図に反してＩＰ通話が強制的に終了されるのを防止することができる。
【００４９】
図６のステップＳ１０１〜Ｓ１１２は、図５の携帯電話機１０におけるセルラー電話プログラムの動作の一例を示したフローチャートである。まず、着信報知制御部１２２は、セルラー通話用の着信があれば、ＩＰ通話中であるか否かの判定を行う（ステップＳ１０１，Ｓ１０２）。
【００５０】
このとき、着信報知制御部１２２は、ＩＰ通話中であれば、レシーバ１２により着信報知を行う（ステップＳ１０３，Ｓ１０４）。一方、着信報知制御部１２２は、ＩＰ通話中でなければ、スピーカ１６により着信報知を行う（ステップＳ１０３，Ｓ１１０）。
【００５１】
次に、セルラー通話制御部１２３は、オフフック操作が検知されれば、着信報知を終了してセルラー通話を開始し、この処理を終了する（ステップＳ１０５，Ｓ１１１）。次に、セルラー通話制御部１２３は、オフフック操作が検知されなかった場合に、着信拒否機能が設定されていれば、発信元の電話番号を着信拒否対象として登録された電話番号と照合し、これらの電話番号が一致していれば、通信回線を直ちに切断する（ステップＳ１０６，Ｓ１１２）。
【００５２】
次に、セルラー通話制御部１２３は、オフフック操作が検知されず、着信拒否機能も設定されていない場合に、ＩＰ通話が終了され、かつ、その他の自動応答の機能、すなわち、簡易留守番電話機能又はドライブモード機能のいずれかが設定されていれば、自動応答して所定の音声ガイダンスを送信し、この処理を終了する（ステップＳ１０７〜Ｓ１０９）。
【００５３】
ＩＰ通話が終了されるまで、ステップＳ１０５以降の処理手順が繰り返される。また、ＩＰ通話が終了されても、簡易留守番電話機能又はドライブモード機能のいずれかが設定されていなければ、ステップＳ１０５以降の処理手順が繰り返される。
【００５４】
図７のステップＳ２０１〜Ｓ２０６は、図５の携帯電話機１０におけるＩＰ電話プログラムの動作の一例を示したフローチャートである。まず、ＩＰ通話制御部１２１は、ＩＰ通話を開始するためのオフフック操作が検知されれば、ＩＰ通話を開始し（ステップＳ２０１，Ｓ２０２）、セルラー通話制御部１２３に対し、状態通知を要求する（ステップＳ２０３）。
【００５５】
次に、ＩＰ通話制御部１２１は、セルラー通話の通信状態が着信状態又は通話状態のいずれかであれば、ＩＰ通話を終了させるための終話処理を行って、この処理を終了する（ステップＳ２０４，Ｓ２０６）。一方、ＩＰ通話制御部１２１は、セルラー通話の通信状態が非着信状態であれば、ＩＰ通話を終了させるためのオンフック操作が検知されるまで、ステップＳ２０３以降の処理手順を繰り返す（ステップＳ２０５）。
【００５６】
本実施の形態による携帯電話機１０では、着信信号の受信時にＩＰ通話中であるか否かに基づいて異なる着信報知を行うので、ＩＰ通話中の着信報知によってユーザを驚かせるのを抑制することができる。また、携帯電話機１０は、着信報知中におけるオフフック操作に基づいてＩＰ通話を終了するので、ユーザの意図に反してＩＰ通話が強制的に終了されるのを防止することができる。
【００５７】
なお、本実施の形態では、セルラー通話用の着信信号を受信した際に、ＩＰ通話中でなければスピーカ１６により着信報知を行い、ＩＰ通話中であればレシーバ１２により着信報知を行う場合の例について説明したが、本発明は、ＩＰ通話中であるか否かに基づいて異なる着信報知を行う方法をこれに限定するものではない。例えば、ＩＰ通話中であるか否かに応じて、着信音の音量又は音色を異ならせるような構成であっても良い。具体的には、ＩＰ通話中であれば、ＩＰ通話中でない場合よりも音量を下げて着信音をスピーカ１６から出力させる。
【００５８】
また、本実施の形態では、レシーバ１２及びマイクロホン１５の動作状態と、無線アクセスポイント５との通信データ量とに基づいて、ＩＰ通話中であるか否かを判別する場合の例について説明したが、本発明は、ＩＰ通話中であるか否かを検知する方法をこれに限定するものではない。例えば、ＩＰ通話制御部１２１が所定のファイル又はメモリ領域にＩＰ通話中であるか否かを示す情報を登録する。セルラー通話制御部１２３は、その登録情報を参照することにより、ＩＰ通話中であるか否かを判別する。この様な構成であっても、ＩＰ通話制御部１２１に制御用のインターフェースを設けなくても、セルラー通話制御部１２３は、ＩＰ通話中であるか否かを検知することができる。
【００５９】
本発明の実施の形態による携帯電話機１０の構成と対応する作用効果とを以下に整理してまとめる。
第１の本発明による携帯電話機１０は、セルラー基地局２との通信を行い、着信信号の受信及び音声信号の送受信を行うセルラー通信部１０１と、着信信号に基づいて、着信報知を行う着信報知制御部１２２と、セルラー通信部１０１に対し、セルラー基地局２を介してセルラー通話を行うための制御を行うセルラー通話制御部１２３と、ＩＰネットワークＮｉに接続された無線アクセスポイント５との通信を行い、パケット化された音声データの送受信を行うＩＰ通信部１０２と、ＩＰ通信部１０２に対し、無線アクセスポイント５を介してＩＰ通話を行うための制御を行うＩＰ通話制御部１２１により構成される。着信報知制御部１２２は、着信信号の受信時にＩＰ通話中であるか否かに基づいて異なる着信報知を行う。
【００６０】
この様な構成によれば、着信信号の受信時にＩＰ通話中であるか否かに基づいて異なる着信報知を行うので、ＩＰ通話中の着信報知によってユーザを驚かせるのを抑制することができる。
【００６１】
第２の本発明による携帯電話機１０は、上記構成に加え、セルラー通話制御部１２３が、着信報知中におけるオフフック操作に基づいて、セルラー通話を開始し、ＩＰ通話制御部１２１が、着信報知中におけるオフフック操作に基づいて、ＩＰ通話を終了するように構成される。この様な構成によれば、着信報知中におけるオフフック操作に基づいてＩＰ通話を終了するので、ユーザの意図に反してＩＰ通話が強制的に終了されるのを防止することができる。
【００６２】
第３の本発明による携帯電話機１０は、上記構成に加え、着信音を出力するためのスピーカ１６と、受話音を出力するためのレシーバ１２とを備え、着信報知制御部１２２が、ＩＰ通話中でないときに着信信号を受信すれば、スピーカ１６により着信報知を行い、ＩＰ通話中に着信信号を受信すれば、レシーバ１２により着信報知を行うように構成される。この様な構成によれば、受話用のレシーバ１２を耳に押し当てている状態で、着信音がスピーカ１６から出力されるのを防止することができる。
【００６３】
第４の本発明による携帯電話機１０は、上記構成に加え、送話音が入力されるマイクロホン１５を備え、着信報知制御部１２２が、レシーバ１２及びマイクロホン１５の動作状態と、無線アクセスポイント５との通信データ量とに基づいて、ＩＰ通話中であるか否かを判別するように構成される。この様な構成によれば、ＩＰ通話制御部１２１に制御用のインターフェースを設けなくても、セルラー通話制御部１２３は、ＩＰ通話中であるか否かを検知することができる。
【００６４】
第５の本発明による携帯電話機１０は、上記構成に加え、セルラー通話制御部１２３が、着信報知中、ＩＰ通話制御部１２１からの状態通知要求に対し、非着信状態を示すダミー情報を通知するように構成される。この様な構成によれば、ＩＰ電話プログラムを仕様変更しなくても、セルラー通話用の着信によってＩＰ通話が強制的に終了されるのを防止することができる。
【符号の説明】
【００６５】
１  通話システム
２  セルラー基地局
３，６及び１０  携帯電話機
４  電話交換機
５  無線アクセスポイント
７  ＶｏＩＰ電話サーバ
１１  端末筐体
１２  レシーバ
１３  表示部
１４ａ〜１４ｃ  操作キー
１５  マイクロホン
１６  スピーカ
１００  マイクロプロセッサ
１０１  セルラー通信部
１０２  ＩＰ通信部
１０３  操作部
１０４  バイブレータ
１０５  メモリ
１１０  音声コーデック
１１１  アンプ
１２１  ＩＰ通話制御部
１２２  着信報知制御部
１２３  セルラー通話制御部
【図１】
2016076806.tif 000003
【図２】
2016076806.tif 000004
【図３】
2016076806.tif 000005
【図４】
2016076806.tif 000006
【図５】
2016076806.tif 000007
【図６】
2016076806.tif 000008
【図７】
2016076806.tif 000009